(57)【要約】      （修正有）【課題】害虫駆除粘着部の裏面を太陽光線による日焼けや風化また雨風から粘着部を保護し外で長期にわたり内外で使用できる粘着部日焼け防止付き害虫駆除シールの提供。【解決手段】鉢植えの草花や菜園の野菜等に群がる害虫を農薬を使用せずに粘着部を利用し粘して捕獲するために、粘着部を硬化しないように日焼け防止を施した。【選択図】図３
2010252769.tif 000002
【特許請求の範囲】
【請求項１】
鉢用粘着保護部（１）の裏面に害虫駆除粘着部（２）を施し鉢の上部に貼着する事を特徴とする粘着部日焼け防止付き害虫駆除シ−ル。
【請求項２】
茎用粘着保護部（１ｂ）の中央部に茎保持穴（８）を設け、その片方に茎差込み開口（７）を刻設し、その中央部から折り線（４）を３箇所に設け、その裏側に害虫駆除粘着部（２）を施し粘着部外周付着シ−ト（９）を設けた事を特徴とする請求項１の粘着部日焼け防止付き害虫駆除シ−ル。
【請求項３】
折り曲げ式粘着保護部（１ｃ）の裏面に折り線（４）を３箇所設け、その面に害虫駆除粘着部（２）を施し、其の裏面に折り山部（５）から三角状に折曲し維持板（６）を害虫駆除粘着部（２）に貼りつける、外側の２面に貼り付け粘着部（３）を設けた事を特徴とする請求項１の粘着部日焼け防止付き害虫駆除シール。
【発明の詳細な説明】
【技術の分野】
【０００１】            本発明は、植木鉢や菜園等に寄り付く害虫を農薬を使用しないで安全に退治する粘着部日焼け防止付き害虫駆除シールに関するものである。
【背景の技術】
【０００２】            従来、害虫は、匂いや甘い香等に誘われる様に寄り付く事が多く、害虫退治の薬品を散布して駆除していたが、口に入る野菜や部屋の中で観賞する鉢植えの花類等に有害な農薬品類を使用する事に、ためらいがあった。
【発明が解決しようとする課題】
【０００３】            害虫の通り道を阻止し捕獲し侵入を防ぐ事で問題を解決するものである。
【問題を解決するための手段】
【０００４】            鉢植え等の草花に群がる害虫を駆除するには植木鉢の上部に粘着部を下面にし、ある程度の長さにしたシールを形状の合わせてつなぎ目を少々重ねて全体に貼り通す、シールの上部は、日焼け防止部を設け粘着部か硬化しないようにしてある。
害虫は、鉢を登ると粘着部に直接粘り、鉢の上から下りる時に粘着部に回り込む為に粘り捕獲となる。
【０００５】            菜園畑や花畑に群がる害虫を駆除するには茎の下部分に円状の中央に穴部を設け茎差込み開口から茎を中央にし粘着部を下面にし粘着面で茎廻りを押さえ込み上部が日焼け防止部を設けて有るので太陽光線にも対応し長時間使用できる。
地面から登る害虫は、粘着部に粘り上から下りる害虫は粘着部に回り込むので粘り捕獲となる。
【０００６】            家屋の基礎や壁等をよじ登る害虫を駆除するために三角状にした内側に粘着部を施し外部の一辺を日焼け防止部を設け後の二辺に粘着部を施し外部に置いても風等にばされないように害虫の通り道に縦横に貼りつける事ができる物である。
【０００７】            鉢用、茎用、基礎や壁等の粘着部日焼け防止付き害虫駆除シールの捕獲する害虫は油虫、だに、団子虫、蟻、わらじ虫、蠅、かめ虫、蚊等さまざま駆除できるのが特徴である。
【発明の効果】
【０００８】            雨風、太陽光線にあたっても日焼け防止部が付いてるので粘着部が風化又は硬化しない為に長期間使用でき色んな害虫を駆除ができるので便利である。
又、農薬を使用しないですむから安全である。
【発明を実施するための最良の形態】
【０００９】            以下、本発明の実施の形態について図面を参照して説明する。
図１の鉢用粘着保護部１の下面を害虫駆除粘着部２を鉢の上部縁部に幅約３０ミリ長さ約６０ミリの形状にしたものを、繋ぎ部を空かさないように貼り鉢外側へ、はみ出すように並べる。【００１０】            図２の鉢用粘着保護部１は上面を太陽光線で下面の害虫駆除粘着部２が風化しないように保護する役目を果たすようにし着色してある。【００１１】            図３の鉢の上部縁部に鉢用粘着保護部１を上面に害虫駆除粘着部２を利用しすき間が出ないように２ー３ミリ重ね鉢用粘着接続部１ａの状態に繋ぎ貼る。【００１２】            図４の茎用粘着保護部１ｂは、円状にし中央部に茎保持部８を開口し茎差込み開口７を設け折り線４を３箇所に設けた物。【００１３】            図５の害虫駆除粘着部２に粘着部外周付着シート９を設け使用の際に全体が粘り合わないように設けた物であり、この面を下側にし茎差込み開口７より茎を中央部の茎保持穴８まで差込む。【００１４】            図６の茎差込み開口７と折り線４を中心にし傘状に折り茎用粘着保護部１ｂを外部に表し茎保持穴８から中央部に下がる折り線４を軽く折る事により全体の強度が要られる。【００１５】            図７の茎用粘着保護部１ｂを外部に害虫駆除粘着部２を内側にし粘着部外周付着シート９を設け茎差込み開口７と折り線４より傘状に折り曲げたしたもの。【００１６】            図８の植物の茎に茎差込み開口７から差込み茎保持穴８に害虫駆除粘着部２を茎部に押さえ込むようにし付け備え地面から来る害虫を粘着部で捕獲する物で害虫駆除粘着部２を茎用粘着保護部１ｂが備わっているので外部でも長期にわたって使用できる。【００１７】            図９の折り曲げ式粘着保護部１ｃを備いた内側に害虫駆除粘着部２を施し折り線４を三ヶ所設けその裏に折り山部５設け折曲げ式にしたもの。【００１８】            図１０の折り線４から折り曲げ三角の形状にし維持板６を害虫駆除粘着部２に貼り合わせ形態を保ち太陽光線があたる部分に折曲げ粘着保護部１ｃを設けてある。【００１９】            図１１の折曲げ式粘着保護部１ｃ裏面に害虫駆除粘着部２を三面に施しその裏面の二面に貼り付け粘着部３を施したもの。【００２０】            図１２の家屋の基礎の立上りと土間などの隅に貼り付け粘着部３を使用して置くことにより風等に飛ばされずに使用できる。【００２１】            図１３の家屋の壁や基礎の立ち上がり角などに縦方向に害虫が登る場所に貼り付け粘着部３を使用して風等に飛ばされずに使用できる。
【図面の簡単な説明】
【００２２】
【図１】  本発明の平面透視図
【図２】  本発明の平面図
【図３】  本発明の断面図
【図４】  本発明の平面図
【図５】  本発明の底面図
【図６】  本発明の正面図
【図７】  本発明の側面図
【図８】  本発明の使用参考図
【図９】  本発明の折曲げ前の内部面図
【図１０】  本発明の折曲げ後の側面図
【図１１】  本発明の斜視図
【図１２】  本発明の使用参考側面図
【図１３】  本発明の使用参考平面図
【符号の説明】１    鉢用粘着保護部
１ａ  鉢用粘着接続部
１ｂ  茎用粘着保護部
１ｃ  折曲げ式粘着保護部
２    害虫駆除粘着部
３    貼り付け粘着部
４    折り線
５    折り山部
６    維持板
７    茎差込み開口
８    茎保持穴
９    粘着部外周付着シート
ア    茎
イ    害虫
ウ    鉢外壁
エ    鉢内壁
オ    鉢水抜き
タ    鉢底
【図１】
2010252769.tif 000003
【図２】
2010252769.tif 000004
【図３】
2010252769.tif 000005
【図４】
2010252769.tif 000006
【図５】
2010252769.tif 000007
【図６】
2010252769.tif 000008
【図７】
2010252769.tif 000009
【図８】
2010252769.tif 000010
【図９】
2010252769.tif 000011
【図１０】
2010252769.tif 000012
【図１１】
2010252769.tif 000013
【図１２】
2010252769.tif 000014
【図１３】
2010252769.tif 000015